(57)【要約】【課題】花粉や塵芥を撒散らすことなく吸取ることができるとともに、突出する方向に湾曲した清掃対象面から花粉や塵芥を容易に吸取ることができる技術を、提供することを課題とする。【解決手段】筒状に形成されるとともに外周面から内周面に貫通するように形成される吸取孔１２を有する軸部１１と、軸部１１の外周面に配置されて清掃対象面２に押付けられた際に清掃対象面２に合わせて凹状に変形する変形部１４と、変形部１４の外側の面から軸部１１の外周面に至るように形成されるとともに軸部１１の吸取孔１２に連通するように形成される吸取部１６ａと、を備える吸取部材１０と、吸取部材１０を回転可能に支持する支持部と、吸引装置３に接続可能な接続部２２と、接続部２２が吸引装置３に接続された際に吸引装置３と吸取部材１０の軸部１１の内部１３とを連通させる連通路２３と、を備える支持部材２０と、を具備する吸取具１とする。【選択図】図１
2012034866.tif 000002
【特許請求の範囲】
【請求項１】
吸引装置に接続されて、清掃対象面から花粉や塵芥を吸取るための吸取具であって、
筒状に形成されるとともに、外周面から内周面に貫通するように形成される吸取孔を有する軸部と、前記軸部の外周面に配置されて、突出する方向に湾曲する清掃対象面に押付けられた際に前記湾曲した清掃対象面に合わせて凹状に変形する変形部と、前記変形部の外側の面から前記軸部の外周面に至るように形成されるとともに前記軸部の吸取孔に連通するように形成される吸取部と、を備える吸取部材と、
前記吸取部材を回転可能に支持する支持部と、前記吸引装置に接続可能な接続部と、前記接続部が吸引装置に接続された際に前記吸引装置と前記吸取部材の軸部における筒状の内部とを連通させる連通路と、を備える支持部材と、
を具備する、吸取具。
【請求項２】
前記吸取部材は、前記突出する方向に湾曲する清掃対象面に前記変形部が押付けられた際に、前記変形部材の清掃対象面に押付けられた部分より前記軸部側において、前記吸取部に連通可能な凹部を、前記変形部の外側の面に有する請求項１に記載の吸取具。
【請求項３】
前記支持部材の上下方向への移動を案内するとともに、前記支持部材における上方への移動または下方への移動を操作するための操作部材を有する、案内装置を具備する、請求項１または請求項２に記載の吸取具。
【請求項４】
請求項１から請求項３のいずれか１項に記載の吸取具と、前記吸取具に接続される吸引装置と、を具備する、吸取装置。
【請求項５】
吸引装置に接続されて、清掃対象面から花粉や塵芥を吸取るための吸取具に具備される支持部材に回転可能に支持される、吸取部材であって、
筒状に形成されるとともに、外周面から内周面に貫通するように形成される吸取孔を有する軸部と、前記軸部の外周面に配置されて、突出する方向に湾曲する清掃対象面に押付けられた際に前記湾曲した清掃対象面に合わせて凹状に変形する変形部と、前記変形部の外側の面から前記軸部の外周面に至るように形成されるとともに前記軸部の吸取孔に連通するように形成される吸取部と、を備え、
前記吸引装置に前記支持部材が接続された際に、前記支持部材が有する連通路を介して前記吸引装置と前記軸部の筒状の内部とが連通する、
吸取部材。
【発明の詳細な説明】
【技術分野】
【０００１】
本発明は、本発明は、吸取具、吸引装置、および、吸取部材の技術に関する。
【背景技術】
【０００２】
従来、建築物の入口近傍に設置されて、建築物内に入ろうとする人の頭部や衣類に付着した花粉や塵芥を吹飛ばして、建築物内に花粉や塵芥が持込まれることを防止する、花粉や塵芥の除去装置の技術は公知となっている（特許文献１参照）。
【０００３】
また、吸引装置に接続されて、清掃対象面から花粉や塵芥を吸取る、吸取具の技術は公知となっている（特許文献２参照）。
当該吸取具は、筒状に形成されるとともに外面から内面にかけて貫通する複数個の吸取孔を有する吸取部材と、吸取部材内に嵌挿される軸部材と、を備え、吸取部材を清掃対象面に接触させた状態でこれを回転させながら清掃対象面に付着した花粉や塵芥を吸取部材の吸取孔から吸取るように構成される。
【先行技術文献】
【特許文献】
【０００４】
【特許文献１】特開２００８−２０１３１号公報
【特許文献２】特開２００８−１１９２６６号公報
【発明の概要】
【発明が解決しようとする課題】
【０００５】
しかしながら、特許文献１に記載の花粉や塵芥の除去装置では、花粉や塵芥を吹飛ばすため、建築物の入口近傍で花粉や塵芥を撒散らしてしまう場合がある。そして、このように建築物の入口近傍で撒散らされた花粉や塵芥が浮遊して、建築物内に入込んでしまう場合がある。
【０００６】
また、特許文献２に記載の吸取具は、平坦な清掃対象面（例えば、棚面、床面）を清掃することを想定したものであり、突出する方向に湾曲するような清掃対象面（例えば、人の頭部や胴部）に合わせて、吸取部材および軸体を変形させることができないように構成される。このため、突出する方向に湾曲するような清掃対象面を清掃する場合には、平坦な清掃対象面の場合と比べて吸取部材との接触面積が小さくなるため、花粉や塵芥を吸取る作業が煩雑となる。
【０００７】
本発明は以上の如き状況に鑑みてなされたものであり、花粉や塵芥を撒散らすことなく吸取ることができるとともに、突出する方向に湾曲した清掃対象面から花粉や塵芥を容易に吸取ることができる技術を、提供することを課題とする。
【課題を解決するための手段】
【０００８】
本発明の解決しようとする課題は以上の如くであり、次にこの課題を解決するための手段を説明する。
【０００９】
即ち、請求項１においては、吸引装置に接続されて、清掃対象面から花粉や塵芥を吸取るための吸取具であって、筒状に形成されるとともに、外周面から内周面に貫通するように形成される吸取孔を有する軸部と、前記軸部の外周面に配置されて、突出する方向に湾曲する清掃対象面に押付けられた際に前記湾曲した清掃対象面に合わせて凹状に変形する変形部と、前記変形部の外側の面から前記軸部の外周面に至るように形成されるとともに前記軸部の吸取孔に連通するように形成される吸取部と、を備える、吸取部材と、前記吸取部材を回転可能に支持する支持部と、前記吸引装置に接続可能な接続部と、前記接続部が吸引装置に接続された際に前記吸引装置と前記吸取部材の軸部における筒状の内部とを連通させる連通路と、を備える支持部材と、を具備するものである。
【００１０】
請求項２においては、前記吸取部材は、前記突出する方向に湾曲する清掃対象面に前記変形部が押付けられた際に、前記変形部材の清掃対象面に押付けられた部分より前記軸部側において、前記吸取部に連通可能な凹部を、前記変形部の外側の面に有するものである。
【００１１】
請求項３においては、前記支持部材の上下方向への移動を案内するとともに、前記支持部材における上方への移動または下方への移動を操作するための操作部材を有するものである。
【００１２】
請求項４においては、請求項１から請求項３のいずれか１項に記載の吸取具と、前記吸取具に接続される吸引装置と、を具備する、吸取装置としたものである。
【００１３】
請求項５においては、支持部材に回転可能に支持される、吸取部材であって、筒状に形成されるとともに、外周面から内周面に貫通するように形成される吸取孔を有する軸部と、前記軸部の外周面に配置されて、突出する方向に湾曲する清掃対象面に押付けられた際に前記湾曲した清掃対象面に合わせて凹状に変形する変形部と、前記変形部の外側の面から前記軸部の外周面に至るように形成されるとともに前記軸部の吸取孔に連通するように形成される吸取部と、を備え、前記吸引装置に前記支持部材が接続された際に、前記支持部材が有する連通路を介して前記吸引装置と前記軸部の筒状の内部とが連通する、吸取部材としたものである。
【発明の効果】
【００１４】
本発明の効果として、以下に示すような効果を奏する。
【００１５】
即ち、本発明によれば、花粉や塵芥を撒散らすことなく吸取ることができるとともに、突出する方向に湾曲した清掃対象面から花粉や塵芥を容易に吸取ることができる。
【図面の簡単な説明】
【００１６】
【図１】本発明の実施形態に係る吸取具を示した斜視図。
【図２】（ａ）は同じく平面図、（ｂ）は同じく側面図。
【図３】（ａ）は同じく一部拡大側面図。
【図４】本発明の実施形態に係る吸取具を清掃対象面に押付けた状態を示した平面図。
【図５】（ａ）は本発明の実施形態に係る吸取具を示した平面図、（ｂ）は本発明の実施形態に係る吸取具の吸取部材を示した一部拡大側面断面図。
【図６】（ａ）は本発明の実施形態に係る吸取具を示した平面図、（ｂ）は本発明の実施形態に係る吸取具の吸取部材を示した一部拡大側面断面図。
【図７】（ａ）は同じく平面図、（ｂ）は同じく側面図。
【図８】（ａ）は同じく平面図、（ｂ）は同じく側面図。
【図９】（ａ）はシートを具備する本発明の実施形態に係る吸取具を示した平面図、（ｂ）は同じく側面図。
【図１０】案内装置を具備する本発明の実施形態に係る吸取具を示した正面図。
【図１１】同じく平面図。
【図１２】同じく側面図。
【図１３】（ａ）は回動部材を備える案内装置を具備する本発明の実施形態に係る吸取具を示した一部拡大平面図、（ｂ）は同じく一部拡大側面図。
【発明を実施するための形態】
【００１７】
次に、本発明に係る吸取具１の実施形態について、図１から図１３を用いて説明する。
吸取具１は、図１に示すように、吸引装置３に接続されて、清掃対象面から花粉や塵芥を吸取るものである。
ここで、吸引装置３とは、気体を吸引するための装置を示す。以下においては、吸引装置３として電気掃除機を用いた場合について説明する。
また、吸取具１は、図１または図２に示す如く、吸取部材１０と、支持部材２０と、を具備する。吸取具１の吸取部材１０は、その支持部材２０に支持される。吸取具１の支持部材２０は、吸引装置３のホース３ａに接続される（図１参照）。
【００１８】
吸取具１の吸取部材１０は、清掃対象面から花粉や塵芥を吸取る際に、清掃対象面に接触させて、当該清掃対象面から花粉や塵芥を吸取る部材である。
吸取具１の吸取部材１０は、図２または図３に示す如く、軸部１１と、変形部１４と、吸取部１６ａと、を備える。
吸取具１の吸取部材１０における軸部１１は、吸取部材１０において支持部材２０に支持される部分である。
吸取具１の吸取部材１０における変形部１４は、吸取部材１０において、清掃対象面から花粉や塵芥を吸取る際に清掃対象面に押付けられる部分である。吸取具１の吸取部材１０における変形部１４は、軸部１１の外周面に吸取部１６ａが形成されるように配置される。
吸取具１の吸取部材１０における吸取部１６ａは、吸取部材１０において、清掃対象面から花粉や塵芥を吸取る部分である。
【００１９】
吸取具１の吸取部材１０における軸部１１は、略円筒状に形成されるとともに、複数個の吸取孔１２・１２・・・を有する。
吸取具１では、８個の吸取孔１２・１２・・・が形成される。
吸取具１の吸取部材１０における軸部１１のそれぞれの吸取孔１２・１２・・・は、軸部１１の外周面から内周面に貫通するようにして形成される。吸取具１の吸取部材１０における軸部１１のそれぞれの吸取孔１２・１２・・・は、軸部１１の軸心方向の中途部に、軸部１１の軸心に沿うようにして形成される。
吸取具１の吸取部材１０における軸部１１の複数の吸取孔１２・１２・・・は、軸部１１の周方向において均等位置となるように配置される。
【００２０】
吸取具１の吸取部材１０における変形部１４は、複数の変形部材１５ａ・１５ａ・・・で構成される。吸取具１の吸取部材１０における変形部１４は、８個の変形部材１５ａ・１５ａ・・・で構成される。
吸取具１の吸取部材１０における変形部材１５ａは、その長手方向の長さが軸部１１の軸心方向の長さと略同一の略四角柱形状に形成される。
【００２１】
吸取具１の吸取部材１０におけるそれぞれの変形部材１５ａ・１５ａ・・・は、軸部１１における隣合う吸取孔１２・１２間に、軸部１１の軸心に沿うようにして配置される。
吸取具１の吸取部材１０におけるそれぞれの変形部材１５ａ・１５ａ・・・は、軸部１１の外周面においてその周方向に均等位置に配置される。また、吸取具１の吸取部材１０におけるそれぞれの変形部材１５ａ・１５ａ・・・は、互いに所定の間隔を空けて軸部１１の外周面に放射状に配置される。
【００２２】
吸取具１の吸取部材１０における変形部材１５ａの外側の面は、弧状に形成される。
吸取具１の吸取部材１０における変形部材１５ａの外側の面は、突出する方向に湾曲する清掃対象面２（例えば、人の頭部や胴部のような場合）に押付けられる側の面である。
吸取具１の吸取部材１０における変形部材１５ａは、隣合う変形部材１５ａ・１５ａ間におけるその軸部１１側（内側）の間隔と、その軸部１１側と反対側（外側）の間隔と、が略同一間隔となるように、軸部１１側と反対側（外側）にいくにしたがってその厚みが大きくなるように形成される。
このようにして、吸取具１では、吸取部材１０における隣合う変形部材１５ａ・１５ａ間に隙間が形成されるように配置される。また、吸取具１の吸取部材１０における変形部材１５ａ・１５ａ・・・は、軸部１１の外周面の一部を除き、軸部１１の外周面を覆うように配置される。
【００２３】
吸取具１の吸取部材１０における変形部１４（変形部材１５ａ）は、可撓性を有した部材にて構成される。吸取具１の吸取部材１０は、例えば、樹脂素材やスポンジゴム（多孔質のゴム）素材等にて構成される。
吸取具１の吸取部材１０における変形部１４は、可撓性を有しているため、突出する方向に湾曲する清掃対象面２に押付けられた際に、その接触面が当該清掃対象面２に合わせて凹状に変形可能に構成される。
【００２４】
吸取具１の吸取部材１０における吸取部１６ａ・１６ａ・・・は、前記隣合う変形部材１５ａ・１５ａ間で形成される隙間で構成される。
吸取具１の吸取部材１０における吸取部１６ａは、変形部１４の外側の面から前記軸部１１の外周面に至るように形成される。また、吸取具１の吸取部材１０における吸取部１６ａ・１６ａ・・・は、軸部１１の吸取孔１２・１２・・・に連通するように形成される。
【００２５】
吸取具１の支持部材２０は、吸取部材１０を、その軸部１１の軸心を中心として回転可能に支持する部材である。
吸取具１の支持部材２０は、図２に示す如く、筒状に形成されるアーム部２１と、アーム部２１に連続して形成される接続部２２と、アーム部２１および接続部２２の内部に形成される連通路２３と、を有する。
吸取具１の支持部材２０における接続部２２は、吸引装置３のホース３ａに接続される部分である。
吸取具１の支持部材２０における連通路２３は、支持部材２０が吸引装置３のホース３ａに接続された際に、支持している吸取部材１０における軸部１１の内部１３と、吸引装置３のホース３ａと、を連通させる通路である。
【００２６】
吸取具１の支持部材２０におけるアーム部２１は筒状部材にて構成された吸取部材１０を支持する支持部であり、平面視略Ｃ字状（弧状）に形成されるとともに、その両端部が互いに向き合うように内側に突出するように形成される。
吸取具１の支持部材２０におけるアーム部２１は、その両端部が、吸取部材１０の軸部１１における両端の開口部に挿入可能なように、形成される。
吸取具１の支持部材２０におけるアーム部２１は、その内側に突出した両端間の距離が、吸取部材１０の両端間の長さより短くなるように、形成される。
【００２７】
吸取具１の支持部材２０における接続部２２は、円筒状に形成されるとともに、吸引装置３のホース３ａの一端に嵌挿可能に構成される。
吸取具１の支持部材２０における接続部２２は、そのアーム部２１の左右中央部に、図２に示す上方（弧の外側）に向かって突出するようにして形成される。
つまり、吸取具１の支持部材２０のアーム部２１は、接続部２２の一端部から左右方向へ延出しており、その延出途中で接続部２２側とは反対側へ湾曲するとともに、その延出端部が左右内側方向へ突出している。
吸取具１の支持部材２０は、その接続部２２の筒内とそのアーム部２１の筒内と、が連通するように、構成される。
当該接続部２２の筒内とアーム部２１の筒内とが連通する空間は、吸取具１の連通路２３として構成される。
【００２８】
そして、吸取具１の支持部材２０は、そのアーム部２１の両端部を、吸取部材１０における軸部１１の両端の開口にそれぞれ挿入することによって、吸取部材１０を支持する。この際、吸取具１の吸取部材１０は、支持部材２０によって、周方向に回転可能に支持される。
以上のようにして、吸取具１は構成される。
また、吸取具１の支持部材２０は、その接続部２２の他端部を吸引装置３のホース３ａの一端に嵌挿することによって、吸引装置３に接続される。
【００２９】
このように構成された吸取具１では、その支持部材２０の接続部２２が吸引装置３のホース３ａに接続された際に、その吸取部材１０における軸部１１の内部１３と、吸引装置３のホース３ａとが、その支持部材２０の連通路２３を介して連通する。
この際、吸取具１は、その支持部材２０の接続部２２に接続された吸引装置３の吸引力が、支持部材２０の連通路２３を介して吸取部材１０における軸部１１の内部１３に伝わるように、構成される。
そして、吸取具１は、その吸取部材１０における軸部１１の内部１３に吸引装置３の吸引力が伝わるように構成されることにより、花粉や塵芥を、吸取部材１０の吸取部１６ａ・１６ａ・・・から、軸部１１の吸取孔１２・１２・・・を経由して吸取ることができるように構成される。
【００３０】
このように構成された吸取具１では、突出する方向に湾曲する清掃対象面２から花粉や塵芥を吸取る際に、図４に示すように、その吸取部材１０の変形部１４（変形部材１５ａ）を当該清掃対象面２に押付ける。この際、吸取具１の吸取部材１０の変形部１４は、その接触面が当該突出する方向に湾曲する清掃対象面２に合わせて凹状に変形することとなる。
また、吸取具１では、その吸取部材１０の変形部１４を前記清掃対象面２に押付けてその接触面を凹状に変形させた状態で、吸取部材１０の軸心方向と直交する方向へ吸取具１を移動させて、吸取部材１０を周方向に回転させることができる。
したがって、吸取具１によれば、花粉や塵芥を撒散らすことなく吸取ることができるとともに、突出する方向に湾曲する清掃対象面２から花粉や塵芥を容易に吸取ることができる。
【００３１】
吸取具１は、吸引装置３である電気掃除機に接続可能に構成されるので、従来の電気掃除機を流用して、花粉や塵芥を撒散らすことなく吸取ることができるとともに、突出する方向に湾曲する清掃対象面２から花粉や塵芥を容易に吸取ることができる吸取具１を、安価に実現することができる。
【００３２】
なお、吸取具１の吸取部材１０における変形部１４は、吸引装置３の吸引力がその軸部１１の内部１３に伝わった際においても、吸取部材１０の変形部１４が拉げて潰れない程度の（その筒状の内部１３が形成された状態が保持されるような）剛性を、有する。
【００３３】
また、吸取具１の吸取部材１０は、凹部１７を有するように構成してもよい。
吸取具１の吸取部材１０における凹部１７は、突出する方向に湾曲する清掃対象面２に変形部材１５ａ（変形部１４）が押付けられた際に、当該清掃対象面２に押付けられた部分より軸部１１側において、当該押付けられた変形部材１５ａの隣に配置される吸取部１６ａ・１６ａに連通可能な部分である。
【００３４】
吸取具１の吸取部材１０における凹部１７は、図５に示すように、変形部材１５ａの外側の面の複数箇所において凹条部１８が形成されて構成される。
吸取具１の吸取部材１０における凹部の凹条部１８は、当該清掃対象面２に押付けられた部分より軸部１１側に凹むような溝状に形成される。
吸取具１の吸取部材１０における凹部１７の凹条部１８は、吸取部材１０の回転方向と平行するように形成される。吸取具１の吸取部材１０における凹部１７の凹条部１８は、軸部１１の軸心に直交するように形成される。
吸取具１の吸取部材１０における凹部１７の凹条部１８は、当該凹条部１８が形成される変形部材１５ａの両隣の吸取部１６ａ・１６ａに至るように形成される。
このように、吸取具１の吸取部材１０の凹部１７が構成されることにより、吸取具１は、吸取部材１０における前記清掃対象面２に押付けられた部分（変形部１４の外側の面）の花粉や塵芥を、吸取部材１０の凹部１７を介して吸取部１６ａ・１６ａから吸取ることが可能に、構成される。
したがって、吸取具１によれば、突出する方向に湾曲する清掃対象面２から、花粉や塵芥を、より効率よく吸取ることができる。
【００３５】
吸取具１の吸取部材１０における凹部１７は、変形部材１５ａの外側の面が格子状となるように構成してもよい。
前記吸取具１の吸取部材１０における格子状の凹部１７は、例えば図６に示すように、凹条部１８の溝に加えて、これと交差する凹条部１９が形成されて構成される吸取具１の吸取部材１０における凹部１７の凹条部１９は、吸取部材１０の回転方向と直交するように（軸部の軸心方向と平行するように）形成される。
また、吸取具１の吸取部材１０における凹部１７は、変形部材１５ａの外側の面に、多面体（例えば、三角柱、円柱、三角錐、四角錐、円錐、等）からなる凸部が形成されるように、構成してもよい。
【００３６】
吸取具１の吸取部材１０における変形部１４は、略四角柱形状に形成された七個以下または九個以上の変形部材１５ａ・１５ａ・・・で構成してもよい。
【００３７】
また、吸取具１の吸取部材１０における変形部１４は、図７に示すように、略円筒状に形成される一つの変形部材１５ｂで構成してもよい。
このような吸取具１では、当該一つの円筒状に形成された変形部材１５ｂの筒状の内部に軸部１１が嵌挿されて配置され、軸部１１の吸取孔１２・１２・・・に相当する位置に外周面から内周面に連通するように吸取部１６ｂ・１６ｂ・・・が形成される。吸取具１の吸取部材１０における吸取部１６ｂ・１６ｂ・・・は、その軸心方向の中途部に形成される。
【００３８】
吸取具１の吸取部材１０における変形部１４は、図８に示すように、軸部１１の軸心方向に交差して配置されるような変形部材１５ｃで構成してもよい。
このような吸取具１では、変形部材１５ｃは、一つの帯状に形成されて、軸部１１の外周面に巻きつけるようにして配置される。この際、吸取具１の吸取部材１０における変形部材１５ｃは、変形部材１５ｃにおける前記巻付けられた際に隣合う周回間で１６ｃ・１６ｃ・・・が形成されるように、螺旋状に配置される。
また、吸取具１では、その吸取部材１０の複数個で構成される変形部材を、軸部１１の軸心に直交するように複数配置してもよい。
【００３９】
吸取具１は、図９に示すように、吸取部材１０に配置されるシート３０を具備する構成であってもよい。吸取具１のシート３０は、清掃対象面に接触する吸取部材１０の変形部１４が汚れることを抑制するためのものである。
吸取具１のシート３０は、布素材からなるものであって、筒状に構成されて、吸取部材１０の変形部１４の外側の面を覆うように配置される。
吸取具１のシート３０は、清掃対象面から花粉や塵芥を吸込むための複数の貫通孔３１・３１・・・を備える。
吸取具１のシート３０の貫通孔３１・３１・・・は、シート３０が吸取部材１０に配置された際に、吸取部材１０の凹部（または吸取部材１０の吸取部１６ａ・１６ａ・・・）と連通する位置に形成される。
このよう貫通孔３１・３１・・・を備えるシート３０を具備することにより、吸取具１では、花粉や塵芥を、シート３０の貫通孔３１・３１・・・から吸取り、さらに吸取部材１０の変形部１４の吸取部１６ａ・１６ａ・・・および軸部１１の吸取孔１２・１２・・・を経由して吸取ることができる。
【００４０】
吸取具１のシート３０は、容易に取替えることがきるように構成してもよい。
例えば、吸取具１のシート３０は、帯状に形成されて、吸取部材１０の変形部１４に巻付けた際に帯状の端部同士をファスナやボタンで固定することによって、取付けられるように構成する。
このようにシート３０を構成することにより、吸取具１では、清掃対象面に接触して汚れたシート３０を容易に取替えることができる。
【００４１】
吸取具１は、図１０乃至図１２に示すように、案内装置４０を具備するものとしてもよい。
吸取具１の案内装置４０は、吸取具１の支持部材の上下方向への移動を案内する装置である。
吸取具１の案内装置４０は、フレーム４１と、移動部材４５と、操作部材４７と、を備える。
【００４２】
吸取具１の案内装置４０におけるフレーム４１は、略門型に形成される。
吸取具１の案内装置４０におけるフレーム４１のうち、上方に横設姿勢で配置される部分を上方フレーム４１ａと、左方に立設姿勢で配置される部分を左方フレーム４１ｂと、右方に立設姿勢で配置される部分を右方フレーム４１ｃと、それぞれ称する。
【００４３】
吸取具１の案内装置４０における左方フレーム４１ｂと右方フレーム４１ｃの背部には、略コ字状に形成されるガイド部材４３・４３がそれぞれ設けられる。
吸取具１の案内装置４０における左方フレーム４１ｂと右方フレーム４１ｃとのガイド部材４３・４３は、その開放部側を左方フレーム４１ｂと右方フレーム４１ｃとの背部側面に対向させた（開放部側を、案内装置４０において吸取具１が取付けられる側とは反対側へ向けた）状態で、左方フレーム４１ｂおよび右方フレーム４１ｃの上方部から下方部に亘って設けられる。
つまり、ガイド部材４３・４３は、上下に立設される柱状部材の上端部および下端部に、左方フレーム４１ｂおよび右方フレーム４１ｃ側へ突出する突出部を形成して構成されており、ガイド部材４３・４３が左方フレーム４１ｂおよび右方フレーム４１ｃに設けられた状態では、ガイド部材４３・４３の上端部および下端部の先端部が、それぞれ左方フレーム４１ｂおよび右方フレーム４１ｃに接続された状態となっている。
このようにして、吸取具１の案内装置４０においてガイド部材４３・４３が設けられることにより、コ字状のガイド部材４３・４３と直線状の左方フレーム４１ｂおよび右方フレーム４１ｃとで囲まれた空間が形成され、このガイド部材４３・４３の上端部から下端部までの範囲に形成される空間が、それぞれ案内部４４・４４として構成される。吸取具１の案内装置４０における案内部４４・４４は、移動部材４５が上下方向に移動可能な空間である。
吸取具１の案内装置４０における上方フレーム４１ａには、滑車４２が設けられる。
【００４４】
吸取具１の案内装置４０における移動部材４５は、前記案内部４４・４４の範囲内において上下方向に移動可能な部材である。
吸取具１の案内装置４０における移動部材４５は、平板状の部材であり、その左方フレーム４１ｂと右方フレーム４１ｃとの間に亘るようにして配置される。
吸取具１の案内装置４０における移動部材４５は、上下方向に移動可能なようにその両端部が案内部４４・４４にそれぞれ嵌挿されて、フレーム４１の背部に配置される。
【００４５】
吸取具１の案内装置４０における移動部材４５の左右中央部には、吸取部材１０を前方に配置するようにして（支持部材２０の接続部２２が後方を向くようにして）吸取具１が固定される。
吸取具１の案内装置４０における移動部材４５への吸取具１の固定は、例えば、案内装置４０における移動部材４５の左右中央部に、支持部材２０の接続部２２を嵌挿可能な孔を形成するとともに、支持部材２０における接続部２２の外周面にネジを形成する。そして、前記移動部材４５における嵌挿可能な孔に吸取具１の支持部材２０における接続部２２を嵌挿して、支持部材２０の接続部２２にボルトを螺合させることによって、吸取具１の案内装置４０における移動部材４５に吸取具１を固定する。
吸取具１の案内装置４０における移動部材４５には、吸取具１を下方に移動させるための重り４６が設けられる。吸取具１の案内装置４０における重り４６は、その自重により、吸取具１を下方に移動させる。
【００４６】
吸取具１の案内装置４０における操作部材４７は、前記吸引具１の支持部材２０の上方への移動または下方への移動を操作するためのものである。
吸取具１の案内装置４０における操作部材４７は、ワイヤで構成される。
吸取具１の案内装置４０における操作部材４７の中途部が上方フレーム４１ａに設けられる滑車４２の溝にかけられて、その一端部が移動部材４５に接続される。
【００４７】
このように構成された案内装置４０を吸取具１が具備することにより、案内装置４０の操作部材４７の他端部を下方に引張って、その移動部材４５に固定された吸取具１（支持部材）を上方に移動させることができる。
また、前記案内装置４０の操作部材４７の他端部の引張りを開放した際には、前記上方に移動した吸取具１は、その移動部材４５に設けられた重り４６により、下方に移動することとなる。
このようにして、案内装置４０を具備する吸取具１では、作業者が吸取具１を直接把持して操作することなく、案内装置４０の操作部材４７を操作することにより、その吸取具１を上下方向への移動させることができる。
よって、案内装置４０を具備する吸取具１によれば、人手をかりずに、作業者の背部に付着した花粉や塵芥を吸取ることができる。
【００４８】
なお、吸取具１の案内装置４０における重り４６の重さは、作業者が操作部材４７を操作してこれの重さに抗じて操作部材４７を引張って持上げることができるような重さであり、且つ、操作部材４７を引張らない場合には、吸取具１を下方に移動させることができるような重さ、であればよい。
また、吸取具１の案内装置４０は、吸取具１を上下方向に移動させる原動機を備える構成としてもよく、また、吸取具１の上下方向の移動をリモートコントロールで操作可能な構成としてもよい。
【００４９】
また、吸取具１の案内装置４０は、支持部材２０が上下方向に回動可能に支持されるとともに、前記支持部材２０における上下の回動方向に付勢するための回動部材５０を備えてもよい。
例えば、吸取具１の案内装置４０における回動部材５０は、図１３に示すように、固定部５１と、回動部５３と、を有する。
【００５０】
吸取具１の案内装置４０における回動部材５０の固定部５１は、略円筒状に形成される。吸取具１の案内装置４０における回動部材５０の固定部５１は、その軸心が前後方向を向くように移動部材４５の左右中央部の上面に固定される。回動部材５０の固定部５１における前方の開口の左方部および右方部には、それぞれから前方に突出するように、平板状の支持体５２・５２が設けられる。回動部材５０の固定部５１におけるそれぞれの支持体５２・５２には、支持用のピンが嵌挿されるための嵌挿孔が、左右方向に貫通するように形成される。
【００５１】
吸取具１の案内装置４０における回動部材５０の固定部５１は、上下方向に回動可能に固定部５１に支持される。
吸取具１の案内装置４０における回動部材５０の回動部５３は、略円筒状に形成される。回動部材５０の回動部５３における一方の端部側の左方部及び右方部には、それぞれ前記支持用のピンが嵌挿されるための嵌挿孔が、左右方向に貫通するように形成される。
吸取具１の案内装置４０における回動部材５０の回動部５３は、前記一方の端部側の開口を後方（固定部５１の前方の開口）に向けるとともに、その貫通孔と固定部５１の貫通孔とが一致するようにして、固定部５１の支持体５２・５２間に配置される。そして、吸取具１の案内装置４０における回動部材５０の回動部５３は、その貫通孔と固定部５１の貫通孔とに前記支持用のピンが嵌挿されて、上下方向に回動可能に固定部５１に支持される。
【００５２】
また、吸取具１の案内装置４０における回動部材５０の回動部５３は、図示しない弾性部材（コイルバネや板バネ等）によって、前記上下の回動方向に付勢される。
そして、吸取具１の支持部材２０は、の接続部２２が後方を向くようにして、案内装置４０における回動部材５０の回動部５３に嵌挿されて固定される。
このようにして、吸取具１の支持部材２０は、上下方向に回動可能に支持されるとともに、前記上下の回動方向に付勢される。
【００５３】
このように案内装置４０を構成することにより、吸取具１は、突出する方向に湾曲する清掃対象面２に吸取部材１０を押付けた際に、支持部材２０（吸取具１）が上方または下方に回動可能に構成される。
したがって、このような案内装置４０を具備する吸取具１によれば、突出する方向に湾曲する清掃対象面２へ吸取部材１０が押付けられた際に、支持部材２０が上方または下方に回動するため、前記押付けられる力が吸取具１を破損させるような力の場合においても、吸取具１が破損するようなことを抑制することができる。
なお、吸取具１の支持部材２０は前記上下の回動方向に弾性部材によって付勢されるため、前記清掃対象面２への吸取部材１０の押付けを開放すると、前記上方または下方に回動した支持部材２０がもとの位置へ戻る。このため、支持部材が上下方向に回動可能に構成される支持部材を備える構成であっても、次の清掃を容易に行うことができる。
【００５４】
吸取具１と吸引装置３とが、吸取装置に具備される構成としてもよい。また、吸取装置とは、吸取具１が吸引装置３に接続されて、清掃対象面から花粉や塵芥を吸取る装置である。
このような吸取装置においても、その吸取具１によって、花粉や塵芥を撒散らすことなく吸取ることができるとともに、突出する方向に湾曲する清掃対象面２から花粉や塵芥を容易に吸取ることができる。
【符号の説明】
【００５５】
１      吸取具
２      湾曲した清掃対象面
３      吸引装置
１０    吸取部材
１１    軸部
１２    吸取孔
１４    変形部
１６ａ  吸取部
２０    支持部材
２２    接続部
２３    連通路
【図１】
2012034866.tif 000003
【図２】
2012034866.tif 000004
【図３】
2012034866.tif 000005
【図４】
2012034866.tif 000006
【図５】
2012034866.tif 000007
【図６】
2012034866.tif 000008
【図７】
2012034866.tif 000009
【図８】
2012034866.tif 000010
【図９】
2012034866.tif 000011
【図１０】
2012034866.tif 000012
【図１１】
2012034866.tif 000013
【図１２】
2012034866.tif 000014
【図１３】
2012034866.tif 000015